(57)【要約】【課題】  横置き又は縦置きに応じて、カードを載置する部分を作り分けする必要がなく、また、横置き又は縦置きの何れで使用された場合でも、カードを安定させることが出来る非接触カードリーダ／ライタの提供。【解決手段】  前面パネル６に設けられ、データを記録するカードが挿入される開口部９と、開口部９から挿入されたカードを載置する載置部（２）とを備え、載置部（２）が載置するカードから電気的に非接触の状態でデータを読み出す／書き込む非接触カードリーダ／ライタ。載置部（２）は、カードの挿入方向へ向かって下方へ第１の角度傾斜し、また、カードの挿入方向に垂直である方向のうちの水平である方向へ第２の角度偏っている構成である。【選択図】        図１
2006065664.tif 000002
【特許請求の範囲】
【請求項１】
前面パネルに設けられ、データを記録するカードが挿入される開口部と、該開口部から挿入されたカードを載置する載置部とを備え、該載置部が載置するカードから電気的に非接触の状態でデータを読み出す／書き込む非接触カードリーダ／ライタにおいて、
前記載置部は、前記カードの挿入方向へ向かって下方へ第１の角度傾斜し、また、前記挿入方向に垂直である方向のうちの水平である方向へ第２の角度偏っていることを特徴とする非接触カードリーダ／ライタ。
【請求項２】
前記載置部及び前面パネルは、互いに嵌め合う嵌合部をそれぞれ備え、該嵌合部が互いに嵌め合うことにより、前記載置部が、前記第１の角度傾斜し、また、前記第２の角度偏るように構成してある請求項１記載の非接触カードリーダ／ライタ。
【発明の詳細な説明】
【技術分野】
【０００１】
本発明は、非接触ＩＣカード等のデータを記録するカードが挿入され、挿入されたカードを載置する載置部を備え、載置部が載置するカードからの電気的に非接触の状態でのデータの読み出し、及びカードへの電気的に非接触の状態でのデータの書き込みの何れか一方又は両方を行う非接触カードリーダ／ライタに関するものである。
【背景技術】
【０００２】
近時、キャッシュカード、クレジットカード、会員カードのようなプラスチックカードに送受信回路及び情報処理回路を含むＩＣ（Integrated Circuit）チップを埋め込み、電気的に非接触の状態で、ＩＣチップにデータを書き込み、ＩＣチップからデータを読み出すようにした非接触ＩＣカードが普及して来ている。
非接触ＩＣカードは、データ記憶部分が磁気カードのように露出せず、データを直接読み出せない、データにアクセスするＣＰＵ（Central Processing Unit）のプログラムが必要である、暗号を利用してカードリーダ／ライタ側と相互認証が可能である等の理由により、偽造及び不正アクセスが困難であるので、金銭を扱う分野で多用されている。また、電気的に非接触である為、端子の劣化及び汚れによるカードの劣化が生じない、カードリーダ／ライタの磨耗及び汚れに対するメンテナンスが不要である、水及び埃等の外部環境からの影響が小さい等の利点を有している。
【０００３】
非接触ＩＣカードは、カード側とカードリーダ／ライタ側とにそれぞれ設けたアンテナ（コイル）を介して電磁波により、互いの端子を接触させることなく、データの送受信を行い、その通信距離により、密着型（２ｍｍ迄）、近接型（１０ｃｍ迄）、近傍型（７０ｃｍ迄）及び遠隔型（数ｍ迄）に分類される。本発明は、カードの正確な位置決めが必要な密着型及び近接型の非接触ＩＣカードのリーダ及びリーダ／ライタを扱っている。
【０００４】
非接触ＩＣカードでは、内蔵するアンテナでカードリーダ／ライタからの電波を受けて電力に変換して使用するので、一般的に電池は不要であり、カードリーダ／ライタ側は、その電波を変調してデータも送信する。カード側は、その電波をアンテナ（コイル）と共振コンデンサとによるＬＣ共振により受信し、整流し平滑することにより、電源を得る一方、受信した電波の周波数の抽出及び整形を行った後、復調し、復調したデータの処理を行い、必要に応じて、内蔵する不揮発性のメモリ（ＥＥＰＲＯＭ）に記憶させる。また、必要に応じて、処理結果、メモリに記憶されたデータを、前記アンテナ又は内蔵する別のアンテナからカードリーダ／ライタ側へ送信する。
【０００５】
特許文献１には、カード挿入方向奥側に向かって下方に傾斜する傾斜滑走面を備えた無接点ＩＣカードのリーダ・ライタが開示されている。
特許文献２には、カード処理装置の奥方向に向かって低くなるよう傾斜したカード載置板を備えた非接触ＩＣカード処理装置が開示されている。
特許文献３には、方形状のＩＣカードを斜め方向で、ＩＣカード本体の対角線よりも大きな範囲で挿入可能であり、ＩＣカードの端部が斜め方向に突出した状態で挿入される挿入口を備えたリーダライタが開示されている。
【０００６】
特許文献４には、カードを厚み方向に支承する傾斜した支承壁と、カードの下辺が臨みカードの下端を係止する保持空間と、カードの他の３辺を囲む壁と、保持空間に連設されたカード挿入兼返却用開口とからなるカード保持部が形成された非接触型カード処理装置用カード保持装置が開示されている。
【特許文献１】特許第３０９２０６５号公報
【特許文献２】特開２０００−２７６５６３号公報
【特許文献３】特許第３３３９７３２号公報
【特許文献４】特許第３３９７６６９号公報
【発明の開示】
【発明が解決しようとする課題】
【０００７】
特許文献１〜４に開示されたものは、リーダ／ライタが読み書きする際、カードを挿入方向へ向かって下方へ傾斜させて、カードを安定させているが、リーダ／ライタは、その使用場所により、横置き又は縦置きの何れかで使用されるものである。その為、リーダ／ライタを製造する際には、横置き又は縦置きに応じて、カードを載置する部分がカードの挿入方向へ向かって下方へ傾斜するように作り分けしなければならず、その金型も２種類必要であるという問題がある。
また、リーダ／ライタは、横置き及び縦置きの両方で使用されることもあり、その場合には、横置き又は縦置きの何れかのときには、カードを安定させることが出来ないという問題がある。
【０００８】
本発明は、上述したような事情に鑑みてなされたものであり、横置き又は縦置きに応じて、カードを載置する部分を作り分けする必要がなく、また、横置き又は縦置きの何れで使用された場合でも、カードを安定させることが出来る非接触カードリーダ／ライタを提供することを目的とする。
【課題を解決するための手段】
【０００９】
第１発明に係る非接触カードリーダ／ライタは、前面パネルに設けられ、データを記録するカードが挿入される開口部と、該開口部から挿入されたカードを載置する載置部とを備え、該載置部が載置するカードから電気的に非接触の状態でデータを読み出す／書き込む非接触カードリーダ／ライタにおいて、前記載置部は、前記カードの挿入方向へ向かって下方へ第１の角度傾斜し、また、前記挿入方向に垂直である方向のうちの水平である方向へ第２の角度偏っていることを特徴とする。
【００１０】
この非接触カードリーダでは、前面パネルに設けられた開口部に、データを記録するカードが挿入され、載置部が、開口部から挿入されたカードを載置し、載置部が載置するカードから電気的に非接触の状態でデータを読み出す／書き込む。載置部は、カードの挿入方向へ向かって下方へ第１の角度傾斜し、また、挿入方向に垂直である方向のうちの水平である方向へ第２の角度偏っている。これにより、この非接触カードリーダ／ライタを横置き又は縦置きの何れで使用した場合でも、カードが、その挿入方向へ向かって下方へ傾斜して載置されることになり、カードを安定して載置することが出来る。
【００１１】
第２発明に係る非接触カードリーダ／ライタは、前記載置部及び前面パネルは、互いに嵌め合う嵌合部をそれぞれ備え、該嵌合部が互いに嵌め合うことにより、前記載置部が、前記第１の角度傾斜し、また、前記第２の角度偏るように構成してあることを特徴とする。
【００１２】
この非接触カードリーダ／ライタでは、載置部及び前面パネルは、それぞれの嵌合部が互いに嵌め合うことにより、載置部が、カードの挿入方向へ向かって下方へ第１の角度傾斜し、また、カードの挿入方向に垂直である方向のうちの水平である方向へ第２の角度偏る。これにより、この非接触カードリーダ／ライタを横置き又は縦置きの何れで使用した場合でも、カードが、その挿入方向へ向かって下方に傾斜して載置されることになり、カードを安定して載置することが出来る。
【発明の効果】
【００１３】
本発明に係る非接触カードリーダ／ライタによれば、横置き又は縦置きに応じて、カードを載置する部分を作り分けする必要がなく、また、横置き又は縦置きの何れで使用されても、カードを安定させることが出来る非接触カードリーダ／ライタを実現することが出来る。また、カードを載置する部分の金型は１種類で良いので、部品コストを低減させることが出来る。
【発明を実施するための最良の形態】
【００１４】
以下に、本発明をその実施の形態を示す図面に基づいて説明する。
図１は、本発明に係る非接触カードリーダ／ライタの実施の形態のケーシングの内部を示す斜視図である。ここでは、ケーシング１に収納される回路基板等の電子部品、及びケーシング１を覆う天板は、図示を省略している。
このケーシング１は、その底板１５上に、回路基板等の部品を固定する為のねじ穴を有する支柱４が多数形成され、その前面パネル６には、ＬＥＤ（発光ダイオード），液晶ディスプレイ、スイッチ等を配置する為の孔が複数形成されている。前面パネル６の中央部に設けられた、ＬＥＤ又は液晶ディスプレイを配置する為の表示部用孔７は、非接触カードリーダ／ライタが横置き用又は縦置き用の何れに製作される場合にも対応可能なように、十字形状に形成されている。
【００１５】
前面パネル６の一方（右方）の端部付近には、カード（非接触カード）を載置するカードホルダ２の為の開口部９（図４，６参照）が形成されている。この開口部９は、カードを挿入し易いように、カードの断面より大きく形成されており、開口部９の中央部には、カードを掴み易いように、指を差し入れる為の凹部５が形成されている。
カードホルダ２のカードの先端が当接する辺の中央部には、カードの有無をフォトインタラプタにより検出する為の切欠３が形成されている。カードの先端部がカードホルダ２の最奥部に突き当たり、切欠３から露出すると、フォトインタラプタの光が遮断され、カードの存在が検出され、読み出し／書き込みが開始される。
【００１６】
カードホルダ２は、カードを載置する、図３の斜視図に示す載置板２ｂ（載置部）と、載置板２ｂを覆う、図２の斜視図に示すカバー２ａとを備えている。
載置板２ｂは、両側端部に形成された段部２ｅ，２ｆにより定まる幅が、最奥部でカードと略同じであり、開口部９側へ向けて次第に拡大するように形成され、カードを挿入する際に、最奥部に案内され易く、また、最奥部迄挿入されることにより、定位置に載置されるようになっている。
【００１７】
載置板２ｂ及びカバー２ａには、開口部９付近で互いに反り返る反返り部２ｄ，２ｃがそれぞれ形成されており、反返り部２ｄ，２ｃにより、開口部９が大きくなり、カードを挿入し易くなっている。反返り部２ｄ，２ｃには、凹部５の外形面を嵌め込む為の切欠５ｂ，５ａが形成されている。
また、反返り部２ｄ，２ｃの先端部には、それぞれの反返り方向と逆方向へ段曲げされた段曲げ部２ｈ，２ｇが形成されている。
【００１８】
載置板２ｂ及びカバー２ａは、図示しない互いの嵌合部を嵌め合わせた状態で、段曲げ部２ｈ，２ｇ及び反返り部２ｄ，２ｃが、前面パネル６に設けられた嵌合部に嵌め込まれる。この状態で、載置板２ｂの奥側の２つの隅に形成されたねじ孔８，８を、支柱４，４のねじ穴に合わせて、ねじ８ａ．８ａによりそれぞれねじ止めすることにより、ケーシング１に固設される。ケーシング１に固設された状態で、載置板２ｂ及びカバー２ａ間の隙間は、カードの厚さより若干大きく形成され、カードがカードホルダ２内に遊挿されるようになっている。
【００１９】
この非接触カードリーダ／ライタが横置きされた場合、横向きに挿入されたカードの下面が載置板２ｂに支持されて定位置に載置されるが、縦置きされた場合は、縦向きに挿入されたカードの下端部が、カードホルダ２の下部に位置する段部２ｅ（載置部）に支持されて定位置に載置される。
【００２０】
載置板２ｂは、非接触カードリーダ／ライタが横置きされた場合に、カードの挿入方向へ向かって下方へ例えば５度程度傾斜するように、また、段部２ｅが、カードの挿入方向へ向かって前面パネル６の他方（左方）へ例えば５度程度偏るように固設されている。これにより、非接触カードリーダ／ライタの横置き又は縦置きの何れの場合でも、カードは、挿入方向へ向かって下方へ５度程度傾斜した状態で載置されることになり、カードを安定させることが出来る。
カードホルダ２の表面又は裏面には、非接触カードリーダ／ライタの図示しない送受信回路のアンテナが、定位置に載置されたカードが内蔵する送受信回路のアンテナに対応するように設置される。
【００２１】
病院等では、プリペイドカードによる有料テレビジョン視聴システムであるテレビカードシステムが広く採用されている。テレビカードシステムで、図４に示すように、テレビジョン受像機１１に隣接して、縦置型の非接触カードリーダ／ライタ１０ａを設置している場合、テレビカード２０は、図５の断面図に示すように、縦向きで挿入され、カードホルダ２の挿入方向へ向かって下方へ例えば５度傾斜した段部２ｅに載置される。
【００２２】
また、病室が個室である場合、図６に示すように、テレビジョン受像機１２を設置する為の造り付けの家具１３に、横置型の非接触カードリーダ／ライタ１０ｂが埋め込みで設置されることがある。このような場合、テレビカード２０は、図７の断面図に示すように、横向きで挿入され、カードホルダ２の挿入方向へ向かって下方へ例えば５度傾斜した載置板２ｂに載置される。
【図面の簡単な説明】
【００２３】
【図１】本発明に係る非接触カードリーダ／ライタの実施の形態のケーシングの内部を示す斜視図である。
【図２】カバーの外観を示す斜視図である。
【図３】載置板の外観を示す斜視図である。
【図４】本発明に係る非接触カードリーダ／ライタの使用例を示す説明図である。
【図５】テレビカードの載置形態を示す断面図である。
【図６】本発明に係る非接触カードリーダ／ライタの使用例を示す説明図である。
【図７】テレビカードの載置形態を示す断面図である。
【符号の説明】
【００２４】
１  ケーシング
2  カードホルダ
２ａ  カバー
２ｂ  載置板（載置部）
２ｃ，２ｄ  反返り部
２ｅ  段部（載置部）
２ｇ，２ｈ  段曲げ部
３  切欠
４  支柱
６  前面パネル
８  ねじ孔
９  開口部
１０ａ，１０ｂ  非接触カードリーダ／ライタ
１１，１２  テレビジョン受像機
２０  テレビカード（非接触カード）
【図１】
2006065664.tif 000003
【図２】
2006065664.tif 000004
【図３】
2006065664.tif 000005
【図４】
2006065664.tif 000006
【図５】
2006065664.tif 000007
【図６】
2006065664.tif 000008
【図７】
2006065664.tif 000009